(57)【要約】  【課題】  小径ボイスコイルから主振動部を貫通して該主振動部の前面を通って引き回されるリード線のフォーミングが安定し得る構造のスピーカを提供することである。  【解決手段】  リング状の主振動部１１と、主振動部１１の径方向内側を支持する内側支持部１２と、主振動部１１の径方向外側を支持する外側支持部１４とを有する振動板１０と、主振動部１１の外縁に装着された大径ボイスコイルユニット５５と、主振動部１１の内縁に装着された小径ボイスコイルユニット５０とを備えたスピーカであって、小径ボイスコイルユニット５０から主振動部１１を貫通して主振動部１１の前面を通って当該スピーカの外縁に至るリード線５３ａ、５３ｂの当該外縁側端部における所定長を振動板１０の前面方向に膨らむ湾曲状にて案内するリード線案内部４５ａ、４５ｂを有する構成となる。【選択図】  図２
2006101202.tif 000002
【特許請求の範囲】
【請求項１】
リング状の主振動部と、該主振動部の径方向内側を支持する内側支持部と、前記主振動部の径方向外側を支持する外側支持部とを有する振動板と、
前記主振動部の外縁に装着された大径ボイスコイルユニットと、
前記主振動部の内縁に装着された小径ボイスコイルユニットとを備えたスピーカであって、
前記小径ボイスコイルユニットから前記主振動部を貫通して該主振動部の前面を通って当該スピーカの外縁に至るリード線の当該外縁側端部における所定長を振動板の前面方向に膨らむ湾曲状にて案内するリード線案内部を有することを特徴とするスピーカ。
【請求項２】
前記リード線案内部は、当該スピーカの外周縁に設けられたホーンリングの一部に形成されたことを特徴とする請求項１記載のスピーカ。
【請求項３】
前記ホーンリングの一部に切り欠き部を前記リード線案内部として形成したことを特徴とする請求項２記載のスピーカ。
【発明の詳細な説明】
【技術分野】
【０００１】
本発明は、音響装置に用いられるスピーカに係り、詳しくは、同心的に配置される異径の２つのボイスコイルを備えたスピーカに関する。
【背景技術】
【０００２】
従来、２つのボイスコイルを備えた、所謂、ダブルボイスコイルスピーカが提案されている（例えば、特許文献１参照）。この種のスピーカでは、小径のボイスコイルと、大径のボイスコイルとが紙、布等で形成された振動板に同心的に装着されている。そして、オーディオ信号が供給される前記小径のボイスコイル及び前記大径のボイスコイルの双方により振動板が振動させられて、前記オーディオ信号に応じた音が発生する。このようなスピーカによれば、小径のボイスコイルが比較的高い周波数帯の音、大径のボイスコイルが比較的低い周波数帯の音をそれぞれ受け持つことにより、広い周波数帯域の音を出すことが可能となる。
【特許文献１】実開昭５３−１６３１２０号公報
【発明の開示】
【発明が解決しようとする課題】
【０００３】
前述したような構造のスピーカでは、小径のボイスコイルからのリード線は、振動板を貫通して当該振動板の前面を通り、更に当該スピーカの外縁に至るような引き回しがなされる。このように引き回されるリード線は、従来、振動板の前面でのフォーミングがばらついて、振動板や該振動板の前面に設けられる保護ネットに接触するおそれがあった。
【０００４】
本発明は、このような従来の問題を解決するためになされたもので、小径ボイスコイルから主振動部を貫通して該主振動部の前面を通って引き回されるリード線のフォーミングが安定し得る構造のスピーカを提供するものである。
【課題を解決するための手段】
【０００５】
本発明に係るスピーカは、リング状の主振動部と、該主振動部の径方向内側を支持する内側支持部と、前記主振動部の径方向外側を支持する外側支持部とを有する振動板と、前記主振動部の外縁に装着された大径ボイスコイルユニットと、前記主振動部の内縁に装着された小径ボイスコイルユニットとを備えたスピーカであって、前記小径ボイスコイルユニットから前記主振動部を貫通して該主振動部の前面を通って当該スピーカの外縁に至るリード線の当該外縁側端部における所定長を振動板の前面方向に膨らむ湾曲状にて案内するリード線案内部を有する構成となる。
【０００６】
このような構成により、小径ボイスコイルユニットから振動板における主振動部を貫通して該主振動部の前面を通って当該スピーカの外縁に至るリード線の外縁側端部における所定長分が湾曲状に維持される。このようにリード線の前記外縁側端部における所定長分が湾曲状に維持される結果、振動板における主振動部の前面を通るリード線全体のフォーミングが変化し難くなる。
【０００７】
また、本発明に係るスピーカは、前記リード線案内部が、当該スピーカの外周縁に設けられたホーンリングの一部に形成された構成とすることができる。
【０００８】
このような構成により、通常スピーカに設けられるホーンリングをリード線の前記外縁側端部における所定長分を湾曲状にて案内するために利用することができる。
【０００９】
更に、本発明に係るスピーカは、前記ホーンリングの一部に切り欠き部を前記リード線案内部として形成した構成とすることができる。
【００１０】
このような構成により、リード線がホーンリングの一部に形成された切り欠き部に挟まれるようになるので、更に、リード線のフォーミングを安定的に保つことができるようになる。
【発明の効果】
【００１１】
本発明に係るスピーカによれば、小径ボイスコイルユニットから振動板における主振動部を貫通して該主振動部の前面を通って当該スピーカの外縁に至るリード線の外縁側端部における所定長分が湾曲状に維持され、それにより、振動板における主振動部の前面を通るリード線全体のフォーミングが崩れ難くなるので、小径ボイスコイルから主振動部を貫通して該主振動部の前面を通って引き回されるリード線のフォーミングが安定し得るようになる。
【発明を実施するための最良の形態】
【００１２】
以下、本発明の実施の形態について、図面を用いて説明する。
【００１３】
本発明の実施の一形態に係るスピーカは、図１及び図２に示すように構成される。図１は、スピーカを前面からみた平面図であり、図２は、図１におけるＡ−Ａ断面図である。
【００１４】
図１及び図２において、このスピーカは、ヨーク２０とヨーク２０に合体する振動板１０とを有する。合成樹脂や紙あるいは布等で形成された振動板１０は、リング状の主振動部１１と、主振動部１１の径方向内側を支持するリング状の内側支持部１２と、主振動部１１の径方向外側を支持するリング状の外側支持部１４とを備えており、リング状の内側支持部１２の内側に平坦部１３が形成されている。主振動部１１、内側支持部１２及び外側支持部１４のそれぞれの断面（図２参照）は、当該スピーカの前方側に突出する湾曲形状となっている。主振動部１１、内側支持部１２及び外側支持部１４それぞれの湾曲径は、所望の音声出力特性が得られるように設定されている。すなわち、主振動部１１の湾曲径が最も大きく、また、外側支持部１４の湾曲径が内側支持部１２の湾曲径よりも若干大きくなっている。
【００１５】
振動板１０の中央に位置する平坦部１３の裏面には合成樹脂等で形成された内側スペーサ６１が接着固定されている。内側スペーサ６１の振動板１０（平坦部１３）に対する接着面と逆側の面には凸部６１ａが形成されている。振動板１０における外側支持部１４の更に外側に続く最外周縁部の裏面には合成樹脂等で形成されたリング状の外側スペーサ６２が接着固定されている。また、振動板１０における主振動部１１の裏側外縁には大径ボイスコイルユニット５５が装着されると共に、主振動部１１の裏側内縁には小径ボイスコイルユニット５０が装着されている。小径ボイスコイルユニット５０は、主振動部１１の内縁の径と略等しい径となる小径ボビン５２の所定位置に小径ボイスコイル５１が巻かれた構造となっており、小径ボビン５２の一端部が主振動部１１の裏側内縁に接着固定されている。また、大径ボイスコイルユニット５５は、主振動部１１の外縁の径と略等しい径となる大径ボビン５７の所定位置に大径ボイスコイル５６が巻かれた構造となっており、大径ボビン５７の一端部が主振動部１１の裏側外縁に接着固定されている。
【００１６】
磁性体材料で形成されたヨーク２０は、円盤状の底部２１と、底部２１の外縁端部に立設するリング状の外周壁部２２と、底部２１の中央に立設する中央円柱部２３とを備えており、中央円柱部２３と外周壁部２２との間にリング状の溝２４が形成されている。中央円柱部２３の端面には凹部２３ａが形成されている。また、ヨーク２０における溝２４には、リング状の磁石３１が底部２１に固定されるように設けられており、磁石３１の端面に磁性体材料で形成されたリング状のプレート３２が固定されている。そして、それぞれ対向する外周壁部２２の内周面とプレート３２の外周面との間に磁気ギャップが形成されると共に、それぞれ対向する中央円柱部２３の外周面とプレート３２の内周面との間に磁気ギャップが形成される。ヨーク２０における外周壁部２２の前方外側エッジ部分にリング状の振動板支持体４０が装着されている。振動板支持体４０における支持端面の径方向内側にリング状の突起４１が形成されている。
【００１７】
振動板１０に接着固定された内側スペーサ６１の凸部６１ａをヨーク２０における中央円柱部２３の端面に形成された凹部２３ａに嵌合させると共に、振動板１０に接着固定された外側スペーサ６２の内縁を突起４１に当接させた状態で、内側スペーサ６１がヨーク２０の中央円柱部２３に、外側スペーサ６２が振動板支持体４０の支持端面に、それぞれ接着固定される。内側スペーサ６１の凸部６１ａと中央円柱部２３の凹部２３ａとの嵌合及び外側スペーサ６２の内縁と振動支持体４０の突起４１との当接によって、ヨーク２０に対する振動板１０の径方向（図面左右方向）位置の規制がなされる。また、内側スペーサ６１の厚さと、外側スペーサ６２及び振動板支持体４０のトータル的な厚さとが一致するように設定され、これらの厚さによってヨーク２０に対する振動板１０の前後方向（図面上下方向）位置の規制がなされる。
【００１８】
ヨーク２０に対する振動板１０の前述したような位置規制により、小径ボイスコイルユニット５０の小径ボイスコイル５１がヨーク２０の中央円柱部２３の外周面とプレート３２の内周面との間の磁気ギャップ内に適正に配置されると共に、大径ボイスコイルユニット５５の大径ボイスコイル５６がヨーク２０の外側壁部２２の内周面とプレート３２の外周面との間の磁気ギャップ内に適正に配置される。
【００１９】
更に、振動板１０にて発生する音を効率良く前方に導くためのホーンリング４３が、振動板支持体４０に外側スペーサ６２を挟むように固定されている。ホーンリング４３には、図１に示すように、２つの切り欠き部４４ａ、４４ｂが形成されている。これら２つの切り欠き部４４ａ、４４ｂは、ホーンリング４３の中心を挟んで相互に対向している。小径ボイスコイルユニット５０における小径ボイスコイル５１の一方のリード線５３ａが振動板１０における主振動部１１を貫通し、主振動部１１の前面を通ってこの主振動部１１の湾曲形状に倣うようにホーンリング４３の切り欠き部４４ａに向けて延び、同様に、小径ボイスコイル５１の他方のリード線５３ｂが、主振動部１１を貫通し、主振動部１１の前面を通ってホーンリング４３の切り欠き部４４ｂに向けて延びている（図２参照）。
【００２０】
ホーンリング４３の各切り欠き部４４ａ、４４ｂには、リード線案内部４５ａ、４５ｂが形成されている。各リード線案内部４５ａ、４５ｂは、ホーンリング４３の中心に向く案内面４５ｃ、４５ｄを有する。そして、その案内面４５ｃ、４５ｄは、振動板１０の前面方向にへこむ凹面（湾曲状）となっている。切り欠き部４５ａに向けて延びるリード線５３ａは、切り欠き部４４ａに挟まれた状態で（図１参照）リード線案内部４４ａの案内面４５ｃに沿って当該スピーカの外縁に至る。また、切り欠き部４４ｂに向けて延びるリード線５３ｂは、切り欠き部４４ｂに挟まれた状態で（図１参照）リード線案内部４５ｂの案内面４５ｄに沿って当該スピーカの外縁に至る。
【００２１】
このようにして当該スピーカの外縁に至る各リード線５３ａ、５３ｂの当該外縁側端部における所定長分（図２における破線楕円部分）は、リード線案内部４５ａ、４５ｂの案内面４５ｃ、４５ｄに沿って案内されることにより、振動板１０の前面方向に膨らむ湾曲状に維持されるようになる。これにより、主振動部１１の前面を通る各リード線５３ａ、５３ｂ全体のフォーミング（形状）が崩れ難くなり、各リード線５３ａ、５３ｂのフォーミングが安定するようになる。また、各リード線５３ａ、５３ｂは、ホーンリング４３の切り欠き部４４ａ、４４ｂに挟まれるようになるので、主振動部１１の前面において図１の上下方向に倒れに難くなる。
【００２２】
図２に示すように、振動板１０の前面側には、断面山形状の保護パンチングネット７０が装着されている。この保護パンチングネット７０は、金属板に多数の小孔が穿設されてなるものであり、ホーンリング４３の外周面に嵌着されている。
【００２３】
このように、小径ボイスコイル５１から振動板１０の主振動部１１を貫通し、その主振動部１１の前面を通って当該スピーカの外縁に至る各リード線５３ａ、５３ｂのフォーミングが安定すると共に、各リード線５３ａ、５３ｂが倒れ難くなるので、各リード線５３ａ、５３ｂが振動板１０（主振動部１１）やホーンリング４３に装着された保護パンチングネット７０に接触することが防止される。
【００２４】
前述した例では、リード案内部４５ａ、４５ｂが当該スピーカの外縁部に設けられたホーンリング４３に形成されたものであったが、他の部材に形成されるものであってもよい。
【産業上の利用可能性】
【００２５】
以上、説明したように、本発明に係るスピーカは、小径ボイスコイルから主振動部を貫通して該主振動部の前面を通って引き回されるリード線のフォーミングが安定し得るという効果を有し、同心的に配置される異径の２つのボイスコイルを備えたスピーカとして有用である。
【図面の簡単な説明】
【００２６】
【図１】本発明の実施の形態に係るスピーカの平面図である。
【図２】図１に示すＡ−Ａ断面図である。
【符号の説明】
【００２７】
１０  振動板
１１  主振動部
１２  内側支持部
１３  平坦部
１４  外側支持部
２０  ヨーク
２１  底部
２２  外周壁部
２３  中央円柱部
２３ａ  凹部
３１  磁石
３２  プレート
４０  振動板支持体
４１  突起
４３  ホーンリング
４４ａ、４４ｂ  切り欠き
４５ａ、４５ｂ  リード線案内部
４５ｃ、４５ｄ  案内面
５０  小径ボイスコイルユニット
５１  小径ボイスコイル
５２  小径ボビン
５３ａ、５３ｂ  リード線
５５  大径ボイスコイルユニット
５６  大径ボイスコイル
５７  大径ボビン
６１  内側スペーサ
６１ａ  凸部
６２  外側スペーサ
【図１】
2006101202.tif 000003
【図２】
2006101202.tif 000004